(57)【要約】      （修正有）【課題】秒針を帰零させる計時器機構を提供する。【解決手段】秒針軸と、秒針軸と回転一体である秒針１５と、秒針軸と回転一体であり、その周縁部がカムパス２４を形成するカム２３と、カムフォロア３０を備えるハンマー２９であって、ハンマー２９は、カムフォロア３０がカムパス２４から外れた非噛合位置と、カムフォロア３０がカムパス２４上を押圧して秒針軸に駆動トルクを発生させる噛合位置との間で、ハンマー軸の周りに回転可能に取り付けられているハンマー２９とを含み、また、その機構は、カム２３はカタツムリの形状をしており、カムパス２４は秒針軸の周りに、内側端から外側端まで螺旋状に延び、内側端と外側端は停止表面によって互いに接続され、停止表面は秒針軸に対して実質的に半径方向に延び、かつ停止表面に対してカムフォロアが、秒針の角度方向の移動終了位置において当接する。【選択図】図５
2019095439.tif 000002
【特許請求の範囲】
【請求項１】
秒針を帰零さるための計時器機構（２２）であって、前記機構は、
−  秒針軸（１７）と、
−  前記秒針軸（１７）と回転一体である秒針（１５）と、
−  前記秒針軸（１７）と回転一体であるカム（２３）であって、前記カム（２３）の周縁部がカムパス（２４）を形成するカム（２３）と、
−  カムフォロア（３０）を備えたハンマー（２９）あって、前記ハンマー（２９）は、前記カムフォロア（３０）が前記カムパス（２４）から外れた非噛合位置と、前記カムフォロア（３０）が前記カムパス（２４）上を押圧して前記秒針軸（１７）に駆動トルクを発生させる噛合位置との間で、ハンマー軸（Ａ３）の周りに回転可能に取り付けられている、ハンマー（２９）とを含み、
前記機構（２２）は、
−  前記カム（２３）はカタツムリの形状をしており、前記カムパス（２４）は前記秒針軸（１７）の周りに、内側端（２６）から外側端（２７）まで螺旋状に延び、前記内側端と前記外側端は停止表面（２８）によって互いに接続され、前記停止表面（２８）は前記秒針軸（１７）に対して実質的に半径方向に延び、かつ前記停止表面に対して前記カムフォロア（３０）が、前記秒針（１５）の角度方向の移動終了位置において当接することと、
−  前記秒針軸（１７）に取り付けられた歯車（４１）と、前記カムによって保持され前記歯車（４１）と噛み合うクリック（４２）とを備える保持歯止めシステムを含むことと、
を特徴とする、機構。
【請求項２】
前記機構は、固定ヘッド（３３）と、前記ハンマー（３２）を前記ハンマー（２９）の噛合位置の方向に引き寄せる剛性ストリップ（３４）とを備えるハンマースプリング（３２）、を含むことを特徴とする、請求項１に記載の機構（２２）。
【請求項３】
前記ハンマー（２９）は前記スプリングの前記ストリップ（３４）が永続的に押圧する主突起ポスト（３５）を保持していることを特徴とする、請求項２に記載の機構（２２）。
【請求項４】
前記機構はアクチュエータ（３６）を含み、前記アクチュエータは、前記ハンマー（２９）を前記ハンマー（２９）の非噛合位置に置く保持位置と、前記ハンマー（２９）が前記ハンマー（２９）の噛合位置を占めることを可能にする解放位置との間を、移動可能に取り付けられていることを特徴とする、請求項２または請求項３に記載の機構（２２）。
【請求項５】
前記ハンマー（２９）は２次突出ポスト（３７）を保持し、前記アクチュエータの前記保持位置において、前記アクチュエータ（３６）上に形成された肩部（３８）が前記２次突出ポスト（３７）を押圧することを特徴とする、請求項４に記載の機構（２２）。
【請求項６】
前記歯車（４１）はブレゲ型の歯を有することを特徴とする、請求項１から請求項５のいずれかに記載の機構（２２）。
【請求項７】
前記歯車（４１）は６０個の歯を有することを特徴とする、請求項６に記載の機構（２２）。
【請求項８】
前記ハンマー軸（Ａ３）は偏心輪（４７）を備えた軸（４６）によって形成され、前記偏心輪の回転によって、前記秒針（１５）の前記角度方向の移動終了位置が調整されることにより前記ハンマー（２９）が移動することを特徴とする、請求項１から請求項７のいずれかに記載の機構（２２）。
【請求項９】
請求項１から請求項８のいずれかによる、前記秒針を帰零させるための計時器機構（２２）、を備える時計（１）。
【請求項１０】
前記針（１５）が前記角度方向の移動終了位置にあるときに、前記針（１５）が実質的に一致する１２時のシンボル（１０）を含む目盛り（７）を有するダイヤル（６）を備える、請求項９に記載の時計（１）。
【発明の詳細な説明】
【技術分野】
【０００１】
本発明は時計製作法の分野に関する。本発明はより具体的には、秒針を帰零させる計時器機構、およびそのような機構を備える時計に関する。
【背景技術】
【０００２】
秒針を帰零させる機構は、
−  大部分のクロノグラフ時計と、
−  秒針（フランス語ではｔｒｏｔｔｅｕｓｅとして知られている）を備え、時刻を設定したときに秒針が自動的に帰零される、一部の時計と、
に見出すことができる。
【０００３】
元来、そのような機構は（秒針、およびその秒針軸に加えて）、
−  秒針軸と回転一体であり、その周縁部がカムパスを形成するカムと、
−  カムフォロアを有するハンマーであって、このハンマーは、カムフォロアがカムパスから外れた非噛合位置と、カムフォロアがカムパス上を押圧して秒針軸に駆動トルクを発生させる噛合位置との間で、ハンマー軸の周りに回転可能に取り付けられている、ハンマーと、
を含む。
【０００４】
カムは通常ハート型であり、それゆえｒｅｆｅｒｅｎｃｅ  ｍａｎｕａｌ  ｂｙ  Ｃ．Ａ．Ｒｅｙｍｏｎｄｉｎ  ｅｔ  ａｌ，  ”Ｔｈｅｏｒｉｅ  ｄ’ｈｏｒｌｏｇｅｒｉｅ”（Ｔｈｅ  Ｔｈｅｏｒｙ  ｏｆ  Ｈｏｒｏｌｏｇｙ），Ｆｅｄｅｒａｔｉｏｎ  ｄｅｓ  Ｅｃｏｌｅｓ  Ｔｅｃｈｎｉｑｕｅｓ，ｅｄｉｔｉｏｎ  ２０１５，ｐ．２３８．にあるように単に「ハートカム」と呼ばれる。
【０００５】
クロノグラフでは、帰零ハンマーは幾つかのカムフォロアを備える複雑な構成要素であり、カムフォロアは、時針、分針、秒針と（、およびそれほど頻繁ではないが、１０単位針（ａ  ｔｅｎｓ  ｈａｎｄ）と）一体の幾つかの対応するカムを同時に打つ。
【０００６】
欧州特許第２２２４２９４号（Ｇｌａｓｓｈｕｔｔｅ）に記載されているような、秒針が自動的に帰零する時計では、ハンマーは単純な形状であるが、原理は同一である。
【０００７】
いずれの場合でも、カムフォロアは通常、馬のひづめの形のハンマーの一端で形成され、（角度または直線）移動の終点でハートカム上に形成されたダブルバンプに対して押圧されて、秒針の帰零に対応する安定位置に保持されることが確保される。
【０００８】
しかし、非常に普及しているこの種の機構には、多くの欠点がある。
【０００９】
第１に、帰零の際の秒針の位置は通常、非常にランダムであり精度を欠いている。これは、秒毎に非常に精密な角度位置にあることが想定されている、ジャンプする針の場合に特に不利である（各角度位置から次の位置まで６°離れている）。
【００１０】
第２に、ハートカムとハンマーの対応する形状を想定すると、その境界部での摩擦力は一定ではない。この結果、これら構成要素の不均一な摩耗につながり、長期的には機構の信頼性を損なう。
【００１１】
第３に、前述のマニュアルの図１１．２９に示されるように、ハートカムの特定の角度位置において、ハンマーが鋭い縁部でハートカムにこすれ、そのような構成要素の応力集中、摩耗、および機械疲労が増加する。
【００１２】
第４に、回転中にハートカムが獲得した運動量は、秒針軸におけるハンマー端部からの圧力によって終了位置において直ちにブレーキがかかるわけではなく、停止するまでに依然として減衰振動を受けることを意味し、それが、知識のある利用者が期待する正確さの認識に悪影響を及ぼす。
【００１３】
第５に、既知の機構は複雑であり、製造が厄介で困難である。
【００１４】
第１の目的は、ダイヤル上の所定の目盛り（典型的には１２時のシンボル）に正確に向かい合う、秒針の精密な位置を提供する、秒針の帰零機構を提案することである。
【００１５】
第２の目的は、より高い信頼性、およびその結果としての、より長い寿命を得ることである。
【００１６】
第３の目的は、既知の機構よりも、より単純な設計を有する（従って、より小型、軽量、および製造が容易な）、秒針の帰零機構を提案することである。
【先行技術文献】
【特許文献】
【００１７】
【特許文献１】欧州特許第２２２４２９４号
【非特許文献】
【００１８】
【非特許文献１】ｒｅｆｅｒｅｎｃｅ  ｍａｎｕａｌ  ｂｙ  Ｃ．Ａ．Ｒｅｙｍｏｎｄｉｎ  ｅｔ  ａｌ，  ”Ｔｈｅｏｒｉｅ  ｄ’ｈｏｒｌｏｇｅｒｉｅ”（Ｔｈｅ  Ｔｈｅｏｒｙ  ｏｆ  Ｈｏｒｏｌｏｇｙ），Ｆｅｄｅｒａｔｉｏｎ  ｄｅｓ  Ｅｃｏｌｅｓ  Ｔｅｃｈｎｉｑｕｅｓ，ｅｄｉｔｉｏｎ  ２０１５，ｐ．２３８．
【発明の概要】
【００１９】
上述の目的の全てまたは一部を実現するために、第１に、秒針を帰零させるための計時器機構が提案され、その機構は、
−  秒針軸と、
−  秒針軸と回転一体である秒針と、
−  秒針軸と回転一体であり、その周縁部がカムパスを形成するカムと、
−  カムフォロアを備えるハンマーであって、ハンマーは、カムフォロアがカムパスから外れた非噛合位置と、カムフォロアがカムパス上を押圧して秒針軸に駆動トルクを発生させる噛合位置との間で、ハンマー軸の周りに回転可能に取り付けられておいるハンマーとを含み、また、その機構は、
−  カムはカタツムリの形状をしており、カムパスは秒針軸の周りに、内側端から外側端まで螺旋状に延び、内側端と外側端は停止表面によって互いに接続され、停止表面は秒針軸に対して実質的に半径方向に延び、かつ停止表面に対してカムフォロアが、秒針の角度方向の移動終了位置において当接することと、
−  秒針軸に取り付けられた歯車と、カムによって保持され歯車と噛み合うクリックとを備える保持歯止めシステムを含むことと、
を特徴とする。
【００２０】
この設計の結果、機構は効率的なままであり、しかも非常に単純、軽量および小型である。帰零する際、秒針は目盛りと向かい合う精密な位置に戻ることができる。
【００２１】
様々な追加の特徴が単独でまたは組み合わせて提供され得る。従って、例えば、
−  機構は固定ヘッドと、ハンマーを噛合位置の方向に引き寄せる弾性ストリップとを備えるハンマースプリングを含み得る。
−  ハンマーは、スプリングストリップが永続的に押圧する主突起ポストを保持し得る。  −  機構はアクチュエータを含むことができ、アクチュエータは、ハンマーをその非噛合位置に置く保持位置と、ハンマーがその噛合位置を占めることを可能にする解放位置との間を、移動可能に取り付けられている。
−  ハンマーは２次突出ポストを有することができ、アクチュエータの保持位置において、アクチュエータ上に形成された肩部が２次突出ポストを押圧する。
−  機構は、カムが一方向にのみ回転することを可能にする保持歯止めシステムを含み得る。
−  歯止めまたはクリックシステムは、秒針軸に同軸に取り付けられた歯車、およびカムにより保持され歯車と噛合するクリックを含み得る。
−  ハンマー軸は偏心輪を備えることができ、偏心輪を回転させることで、秒針の角度方向の移動終了位置が調整されることによりハンマーが移動する。
【００２２】
第２に、そのような機構を備えた時計が提案される。
【００２３】
好ましい実施形態によると、時計は目盛りを有するダイヤルを備えることができ、目盛りは、針が角度方向の移動終了位置にあるときに、針が実質的に一致する１２時のシンボルを含む。
【００２４】
本発明のその他の特徴および利点は、添付の図面を参照して、以下の一実施形態を考慮すれば明らかとなろう。
【図面の簡単な説明】
【００２５】
【図１】秒針を帰零させるための機構を備えた時計の平面図である。
【図２】秒針を帰零させるための機構の詳細な斜視図である。
【図３】図１のＩＩＩ−ＩＩＩ断面に沿った、秒針を帰零させるための機構の詳細な断面図である。
【図４】秒針を帰零させるための機構の拡大した詳細な平面図であり、その動作の様々な段階を示す。
【図５】秒針を帰零させるための機構の拡大した詳細な平面図であり、その動作の様々な段階を示す。
【図６】秒針を帰零させるための機構の拡大した詳細な平面図であり、その動作の様々な段階を示す。
【図７】秒針を帰零させるための機構の拡大した詳細な平面図であり、その動作の様々な段階を示す。
【図８】秒針を帰零させるための機構の拡大した詳細な平面図であり、その動作の様々な段階を示す。
【発明を実施するための形態】
【００２６】
図１は時計１を示す。
【００２７】
この時計１はミドルケース２を含み、これは金属（例えば、鋼鉄）、または合成材料（例えば、典型的にはカーボンであるファイバ強化のポリマーマトリクスを含む複合材料）から作製され得る。
【００２８】
時計１は手首に着用するためのブレスレット３を含むことができ（図１で点と破線で示す）、ブレスレット３はミドルケース２に、ミドルケースから突出するホーン４の間に取り付けられている。
【００２９】
図示した実施例では、ミドルケース２は円形のケースバンドを有するが、この形状に限定されない。特に、ケースバンドは矩形（例えば正方形）であり得る。
【００３０】
ミドルケース２は内部空間５を画定する。
【００３１】
この内部空間５を閉塞するために、時計１はミドルケース２のいずれかの側に取り付けられた、クリスタルおよび裏面カバー（図示せず）を有する。
【００３２】
時計１は目盛り７を有するダイヤル６を備える。
【００３３】
図に示す実施形態、およびより具体的には図１によると、目盛り７は毎時に対する時間シンボル８、および毎分に対する中間シンボル９を含む。中間分シンボル９は、好ましくは時間シンボル８よりも小さい。
【００３４】
図示した実施例では、時間シンボル８は形象的ではない。しかし、変形として、時間シンボル８は形象的であり数字の形態（例えば、ローマ数字、アラビア数字、ゴシック数字またはギリシャ数字）をとり得る。いずれにせよ、目盛りは１２時のシンボル１０を含み、時間に対しては真夜中と正午を、分および秒に対してはゼロを示す。
【００３５】
時計１は計時器ムーブメント（以降、単純に「ムーブメント」と称する）を含み、ムーブメントは、ミドルケース２の内側に収容され、ミドルケースに例えばねじを用いて取り付けれられることを意図したプレートを含む。プレートは、歯車列、脱進機、伝達装置、日の裏装置、巻き上げ機構（リストは網羅的ではない）などの、様々な機構のための支持体を形成する。
【００３６】
ムーブメントは、時針歯車および分針歯車（図示せず）、ならびに四番車１２を含む、日の裏装置１１を含む。日の裏装置１１は軸Ａ１の周りに回転可能に取り付けられている。
【００３７】
日の裏装置１１は駆動装置（図示せず）によって回転駆動される。エネルギー源は、はずみ車／釣り合いばねレギュレータに関連した主ぜんまいであることが好ましい。しかしながら、エネルギー源が水晶振動子に関連した電池である場合は、本発明の範囲外ではない。
【００３８】
時計１は時針および分針（図示せず）を含み、それぞれ時間および分を表示する。
【００３９】
時計には、時針と分針とに結合した巻き上げ機構を含む、時間設定機構１３が備えられている。この巻き上げ機構は、特に、着用者がミドルケース２の片側からアクセス可能な竜頭１４を含む。
【００４０】
竜頭１４は、
−  図１の実線で示した、竜頭１４が時針と分針から切り離され、時針と分針は日の裏装置１１によって回転駆動が維持された、押込み位置と、
−  図１の破線で示した、竜頭１４が針と結合し時間の設定が可能な引出し位置と、
の間で移動可能である。
【００４１】
図示したように、時計１は更に、四番車１２に結合した秒針１５（直接駆動針としても知られている）を含む。
【００４２】
秒針１５は、日の裏装置１１により、軸Ａ２の周りに回転駆動され、軸Ａ２の周りを１分で完全に一旋回する。図示した実施例では、秒針１５は、その回転軸Ａ２がダイヤル６の中央軸と一致するので、大きな中央の秒針である。
【００４３】
秒針１５は遠位端１６を有し、遠位端１６は秒針１５の回転中にダイヤル６上を移動し、対向する、目盛り７の各シンボル８、９を連続的に通過する。
【００４４】
秒針１５は、軸Ａ２に沿って延びる秒針軸１７上に（例えば押圧されて）取り付けられる。図３に示すように、秒針軸１７は、秒針１５が取り付けられた上部１８、および下部１９を含む。  
【００４５】
四番車１２と噛み合うピニオン２０が、秒針軸１７に取り付けられている。より正確には、図３に示すように、ピニオン２０は秒針軸１７の下部１９に取り付けられている。
【００４６】
図３に、およびより具体的には左下の詳細な挿入図に示すように、秒針軸１７の下部１９には、より大きな直径の１つ以上のフランジ２１が備えられ、そこにピニオン２０が固定されている。この結果、秒針軸１７とピニオン２０との間の境界面が減少する。
【００４７】
従って、秒針軸１７がピニオン２０とは独立して与えられる、いかなる駆動（または抵抗）トルクの影響をも受けない場合、秒針軸１７とピニオン２０は一体的に回転する。
【００４８】
しかし、所定の閾値を越えて駆動（または抵抗）トルクが、ピニオン２０とは独立に秒針軸１７に与えられると、秒針軸１７は、日の裏装置１１と噛み合っているため動かないままであるピニオン２０に対して、自由に回転することができる。そのような場合、秒針軸１７とピニオン２０との間の境界部で滑動が生じる。
【００４９】
時計１は秒針を帰零させるための計時器機構２２を備える。この機構２２によって、着用者が、特に竜頭１４を引き出すことにより時間設定操作を開始したときに、秒針１５は日の裏装置１１から切り離され、１２時のシンボル１０（すなわちゼロ）に一致して再配置される。
【００５０】
上述の秒針軸１７および秒針１５に加えて、秒針を帰零させる機構２２は、秒針軸１７と回転一体であるカム２３、およびカムパス２４を形成する、カム２３の周縁部を含む。
【００５１】
特に図３に図示した好ましい実施形態によると、カム２３は秒針軸１７に（典型的には押圧されて）堅く取り付けられた追加の部品である。
【００５２】
図３に示す実施例では、カム２３は秒針軸１７の下部１９に固定されている。その高さ位置は、上部１８と下部１９との間の接合部で秒針軸１７上に形成されたカラー２５によって設定され、カラーに対してカム２３はしっかりと留められている。
【００５３】
図４から図８で良くわかるように、カム２３はカタツムリの形状をしており、カムパス２４は軸Ａ２の周りに（すなわち、秒針軸１７の周りに）、内側端２６（軸Ａ２に近い）から外側端２７（軸Ａ２から遠い）まで螺旋状に延びている。カムパス２４は凸凹がなく滑らかである。
【００５４】
内側端２６および外側端２７は、秒針軸に対して実質的に半径方向に延びる停止表面２８によって、互いに接続されている。従って、前側から（すなわち、軸Ａ２に沿って）見ると、カム２３の輪郭は頭足類のオウムガイの貝殻の輪郭に類似している。
【００５５】
カム２３は、例えば鋼鉄で作製された金属部品であると好都合である。カムは好ましくは、軽量で小さな慣性モーメントを有するように穿孔されている。
【００５６】
秒針の帰零機構２２はまた、カムフォロア３０を備えるハンマー２９を含む。このハンマー２９は、ハンマー軸Ａ３の周りに回転可能に取り付けられており、
−カムフォロア３０がカムパスから外れた非噛合位置（図４、図８）と、
−  カムフォロアがカムパス２４上を押圧して秒針軸１７上に駆動トルクを発生させる噛合位置（図５、図６、図７）と、
の間にある。
【００５７】
カムフォロア３０は、例えば、ハンマー軸Ａ３からある距離を置いたハンマーの自由端３１において突起するラグの形をとっている。カムフォロア３０は、低摩擦係数材料、例えばプラスチック材料（特に、ＰＴＦＥおよびＴｅｆｌｏｎ（登録商標）としても知られるポリテトラフルオロエチレン）、または宝石（特にルビー）から作製されると好都合である。カムフォロア３０は、ハンマー２９上に堅固に固定されている（そして、そこから分解できない）ことが好都合である。代替として、ハンマー２９およびカムフォロア３０は、単一の機械加工部品から形成された、一体の要素を形成することができる。
【００５８】
時計１の通常動作時は、ハンマー２９は非噛合位置にある。そのような場合、秒針１５は秒針軸１７と共に、四番車１２と噛み合っているピニオン２０と一体である。
【００５９】
利用者によって時間設定操作が、典型的には竜頭１４を引き出すことにより開始されると、ハンマー２９は噛合位置に移動して、秒針１５が１２時のシンボル１０（帰零）と実質的に一致する角度方向の移動終了位置に移動するまで、カムパス２４上を押圧するカムフォロア３０を介して、秒針軸１７（およびそれと共に秒針１５）をピニオン２０とは独立に、回転駆動する。
【００６０】
秒針１５の角度方向の移動終了位置（ゼロ位置）は、カムフォロア３０が停止表面２８に対して当接することで決定される。図７に（より具体的には下部中央の詳細な挿入図に）示すように、この位置において、カム２３（従って、秒針軸１７および秒針１５）の回転は停止する。
【００６１】
カムパス２４上へのカムフォロア３０の圧力は、ハンマー２９上に作用するレバーアーム効果により実現され、ハンマーをハンマー軸Ａ３の周りに（ここでは時計回り方向に）旋回させることに資する。
【００６２】
この目的のために、機構２２はハンマースプリング３２を含む。このハンマースプリング３２には固定ヘッド３３と、ハンマー２９を噛合位置の方向に引き寄せる弾性ストリップ３４とが備えられている。
【００６３】
一実施形態によると、ハンマー２９は、スプリングストリップ３４が永続的に押圧する主突起ポスト３５を保持している。主ポスト３５を介してハンマースプリング３２の弾性ストリップ３４によってハンマー２９上に作用するレバーアーム効果を、図５の上部の黒い矢印で示す。
【００６４】
ハンマー２９の引き起こされた回転を、図５の中央の黒い矢印で示す。
【００６５】
この回転が、カムフォロア３０をカムパス２４と接触させる。カムパス２４は滑らかであり、カムフォロア３０は低い摩擦係数を有するので、カムフォロア３０はカムパス２４上を自由に滑動することができる。
【００６６】
ハンマースプリング３２によってハンマー２９に加えられるレバーアーム効果が継続するにつれて、カムフォロア３０はカム表面２４上を滑動し、秒針軸Ａ３によってカム表面２４上に（従ってカム２３上に）一点に集中しない（ｎｏｎ−ｃｏｎｃｕｒｒｅｎｔ）の圧力を加え、駆動トルクがカム２３に（従って秒針軸１７に）働く結果となる。
【００６７】
カム２３、ハンマー２９、およびハンマースプリング３２は、カム２３の角度位置に関わらず、カムフォロア３０によってカム２３上に引き起こされるトルクが、秒針軸１７とピニオン２０との間の境界で滑動が発生する閾値よりも常に大きいように構成される。
【００６８】
その結果、図５の右下の黒い矢印で示すように、秒針軸１７、およびそれと共に秒針１５は、軸Ａ２の周りで回転駆動され、カムフォロア３０はカム表面上２４上を滑動して停止表面２８に至り、そこでカム２３の（従って秒針１５の）回転は完全に停止する。
【００６９】
図示した一実施形態によると、秒針の帰零機構２２はアクチュエータ３６を含み、アクチュエータ３６は、
−  アクチュエータ３６が、ハンマー２９をその非噛合位置（図４、図８）に置く保持位置と、
−  アクチュエータ３６が、ハンマー２９がその噛合位置（図５、図６、図７）を占めることを可能にする解放位置と、
の間に移動可能に取り付けられている。
【００７０】
図示した実施例では、アクチュエータ３６は並進運動するように取り付けられたステムの形をとっている（しかし回転可能に取り付けられ得る）。
【００７１】
ハンマー２９は２次突出ポスト３７を有し、アクチュエータの保持位置において、アクチュエータ３６上に形成された肩部３８が２次突出ポスト３７を押圧する。この肩部３８は、例えばアクチュエータ３６の一端から突起した爪３９によって画定される。
【００７２】
アクチュエータ３６の移動は巻き上げ機構により、より正確には竜頭１４により制御される。従って、竜頭１４の押込み位置において、竜頭はアクチュエータ３６を保持位置に配置し、それによりハンマー２９は非噛合位置に保持され、日の裏装置１１によって引き起こされる秒針軸１７（およびそれと共に秒針１５）の回転が可能になる。
【００７３】
しかし、竜頭１４の引出し位置において、竜頭はアクチュエータ３６を解放位置（図５の左上の水平の黒い矢印）に配置し、それによりハンマースプリング３２がそのレバーアーム効果をハンマー２９上に作用させて、カムフォロア３０をカムパス２４上に押圧させることが可能になる。
【００７４】
特に図４に、およびより具体的には左下の詳細な挿入図に示す好ましい実施形態によると、秒針の帰零機構２２は、カム２３が一方向に（図示した実施例では時計回りに）のみ回転することを可能にする保持歯止めシステム４０を含む。
【００７５】
歯止めまたはクリックシステム４０は、秒針軸１７に同軸に取り付けられた歯車４１、およびカム２３により保持され歯車４１と噛合するクリック４２を含む。
【００７６】
より正確には、歯車４１は、必要な場合（図２に示すように）、ピニオン２０に押圧されたパイプ４３を介してピニオン２０と回転一体である。一実施形態によると、パイプ４３は、例えばストライキングホイールセット（図示せず）と係合する伝達ホイール４４内に一体化されている。
【００７７】
好ましい実施形態によると、歯車４１はブレゲ歯（Ｂｒｅｇｕｅｔ  ｔｏｏｔｈｉｎｇ）、すなわち歯は三角形で非対称である。図示した実施例では、歯車４１は６０個の歯を有し、秒針１５（その時、「ジャンプする針」と呼ばれる）の所定位置である、クリック４２を介した各インデックスは、分の６０秒のうちの各秒に対応する。換言すると、秒針１５の位置は６°の角度で互いに分離されている。
【００７８】
図４に示す実施例では、クリック４２は、またカム２３が保持するストリップスプリング４５によって、歯車４１の方向に引き寄せられている。
【００７９】
秒針の帰零機構２２は以下の通りに作動する。
【００８０】
竜頭１４の押込み位置において、竜頭はアクチュエータ３６を保持位置に保持し、アクチュエータはハンマー２９（およびカムフォロア３０）を、カム２３から離れた非噛合位置に保持する。
【００８１】
秒針軸１７（およびそれと共に秒針１５）はピニオン２０と回転一体であり、日の裏装置１１と噛み合い軸Ａ２の周りで回転駆動する。このような状態では、秒針１５は秒針としてその機能を実行し、着用者に現在の分において経過した秒数の表示を提供する。
【００８２】
引出し位置において、竜頭１４はアクチュエータ３６を解放位置に配置し、それによりハンマースプリング３２によって提供されるレバーアーム効果により、ハンマー２９が噛合位置の方向に移動することを可能にし、噛合位置ではカムフォロア３０がカムパス２４上で当接して滑動する。
【００８３】
上述のように、カムパス２４上でカムフォロア３０が当接して滑動することにより、カム２３およびそれと共に秒針軸１７の回転が生じる（秒針軸はピニオン２０との境界で滑動し、ピニオンは日の裏装置１１と噛み合っているので軸Ａ２の周りの回転は静止したままである）。
【００８４】
カム２３、およびカムと一体の秒針１５の（時計回り方向への）回転は、カムフォロア３０が停止表面２８に対して当接するまで継続し、停止表面２８はカム２３（従って秒針軸１７および秒針１５）の回転を停止させる。その時、秒針１５は移動終了位置にあり、ダイヤル６の目盛り７上の１２時のシンボル１０と実質的に一致している。
【００８５】
クリック４２は歯車４１の２つの連続する歯の間に位置し、従って針が終了位置に到達したときの跳ね返りを止め、帰零機能機能の精度を高めている。
【００８６】
秒針１５が移動の終了点において、１２時のシンボル１０と厳密に一致しないことが起こり得る。
【００８７】
秒針１５の移動終了位置の微調整を可能にし、かつこの位置において秒針１５が１２時のシンボルと厳密に一致することを確保するために、ハンマー軸Ａ３は偏心輪４７を備える軸４６によって画定されている。
【００８８】
偏心輪４７を回転させるとハンマー２９が移動し、秒針１５の角度方向の移動終了位置が調整される（図７の点線で輪郭を描いた様々な位置によって示唆されるように）。
【００８９】
偏心輪４７の回転は、例えば手作業により、典型的にはねじ回しにより達成される。この目的のために、特に図７に示すように、偏心輪４７の一端はねじ回し用の刻印４８（例えば溝）を有して形成される。偏心輪の回転（黒い両方向矢印）、およびハンマー２９の位置決めへの偏心輪の影響（点線）を、図７の左下の詳細な挿入図に示す。
【００９０】
竜頭１４が押込み位置に戻るとすぐに、アクチュエータ３６はその保持位置に戻る（図８）。アクチュエータ３６の変位により、２次ポスト３７に牽引力が作用し、スプリング３２の戻り力に抗してハンマー２９を回転駆動する。ハンマーが回転すると、カムフォロア３０は停止表面２８に沿って滑動し、次いでカム２３から抜け出す。その後、秒針軸１７には駆動トルクまたは抵抗トルクが何ら印加されず、フランジ２１とピニオン２０との間の界面における摩擦力により、軸は再び回転可能にピニオンに結合する。
【００９１】
その結果、日の裏装置１１（より正確には四番車１２）と噛み合うピニオン２０の回転が、秒針軸１７およびそれと共に秒針１５を通常の周期的運動で回転駆動する。
【００９２】
これまで説明してきた秒針の帰零機構２２は以下の利点を有する。
【００９３】
第１に、既知のハートカム機構と比較して、本機構２２は単純な設計を有する。特にハンマー２９は形状の複雑さがより低減している。ヒールが無く、かつ移動の終了時に単純に停止表面２８上に当接するカムフォロア３０があることにより、秒針１５のいかなる跳ね返りも回避され、機構２２の信頼性が増加する。
【００９４】
既に述べたように、跳ね返りは、秒針１５が帰零するときに秒針の一方向への回転を保証する、クリックシステム４０によっても回避される。
【００９５】
この機構２２はより単純なので、より小型で、かつ製造が容易でもある。
【００９６】
この結果、特により高い信頼性を、従って、より長い機構２２の（従って時計１の）寿命をもたらす。
【符号の説明】
【００９７】
１  時計
２  ミドルケース
３  ブレスレット
４  ホーン
５  内部空間
６  ダイヤル
７  目盛り
８  時間シンボル
９  分シンボル
１０  １２時のシンボル
１１  日の裏装置
１２  四番車
１３  時間設定機構
１４  竜頭
１５  秒針
１６  遠位端
１７  秒針軸
１８  上部
１９  下部
２０  ピニオン
２１  フランジ
２２  機構
２３  カム
２４  カムパス
２５  カラー
２６  内側端
２７  外側端
２８  停止表面
２９  ハンマー
３０  カムフォロア
３１  自由端
３２  ハンマースプリング
３３  固定ヘッド
３４  弾性ストリップ
３５  主突起ポスト
３６  アクチュエータ
３７  ２次突出ポスト
３８  肩部
３９  爪
４０  クリックシステム
４１  歯車
４２  クリック
４３  パイプ
４４  伝達ホイール
４５  ストリップスプリング
４６  軸
４７  偏心輪
４８  刻印
【図１】
2019095439.tif 000003
【図２】
2019095439.tif 000004
【図３】
2019095439.tif 000005
【図４】
2019095439.tif 000006
【図５】
2019095439.tif 000007
【図６】
2019095439.tif 000008
【図７】
2019095439.tif 000009
【図８】
2019095439.tif 000010